(57)【特許請求の範囲】
【請求項１】
ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれるヒンジモジュールであって、
上記ケーシング内に、上記折り畳み体が閉じ位置から開き位置へ回動するときに、充填されているオイルを攪拌してダンパ機能を発揮するダンパ部を有し、
上記ダンパ部は、
上記軸に嵌合して設けてあり、上記ケーシングの内面に密着して、上記ばねが収容されているばね収容部分を仕切るシール部材と、
該シール部材によって仕切られたばね収容部分内に充填されているオイルとよりなり、
上記折り畳み体が閉じ位置から開き位置へ回動するときの上記軸及び上記ばねの動きが上記オイルを攪拌させる構成としたことを特徴とするヒンジモジュール。
【請求項２】
ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれるヒンジモジュールであって、
上記ケーシング内に、上記折り畳み体が閉じ位置から開き位置へ回動するときに、充填されているオイルを攪拌してダンパ機能を発揮するダンパ部を有し、
上記ダンパ部は、
上記軸に嵌合して設けてあり、上記ケーシングの内面に密着して、上記ばねが収容されているばね収容部分を仕切るシール部材と、
該シール部材によって仕切られた部分内に充填されているオイルと、
上記軸に形成してあり、上記シール部材によって仕切られた部分内に位置しており、ストッパに当たって該軸の回動停止位置をきめる羽根部とよりなり、
上記折り畳み体が閉じ位置から開き位置へ回動するときの上記軸の羽根部の動きが上記オイルを攪拌させる構成としたことを特徴とするヒンジモジュール。
【請求項３】
閉じ位置と開き位置との間を回動する折り畳み体を有する折り畳み携帯電話機に組込まれるヒンジモジュールであって、
ケーシングと、
該ケーシング内に組み込まれた第１の軸と、
上記折り畳み体を回動させる第２の軸と、
上記ケーシング内に組み込まれ、該第１の軸に、上記折り畳み体を上記閉じ位置より上記開き位置へ回動させる方向の回転力を付与する第１のばね部材と、
上記折り畳み体が上記開き位置を越えて過剰に開かれたときに変形して、上記折り畳み体を上記開き位置へ戻す方向の回転力を、上記第２の軸に付与する第２のばね部材と、
上記第１の軸に設けてあり、通常は、上記第２の軸が上記第１の軸に対して上記折り畳み体が閉じる方向に独立して回動することを制限する第１のストッパと、
上記ケーシング内に設けてあり、上記折り畳み体が閉じ位置から開き位置へ回動するときに、充填されているオイルを攪拌してダンパ機能を発揮するダンパ部とを有し、
前記ダンパ部は、
上記第１の軸に嵌合して設けてあり、上記ケーシングの内面に密着して、上記第１のばね部材が収容されているばね収容部分を仕切るシール部材と、
該シール部材によって仕切られたばね収容部分内に充填されているオイルとよりなり、
上記折り畳み体が閉じ位置から開き位置へ回動するときの上記第１の軸及び上記第１のばねの動きが上記オイルを攪拌させる構成としたことを特徴とするヒンジモジュール。
【請求項４】
閉じ位置と開き位置との間を回動する折り畳み体を有する折り畳み携帯電話機に組込まれるヒンジモジュールであって、
ケーシングと、
該ケーシング内に組み込まれた第１の軸と、
上記折り畳み体を回動させる第２の軸と、
上記ケーシング内に組み込まれ、該第１の軸に、上記折り畳み体を上記閉じ位置より上記開き位置へ回動させる方向の回転力を付与する第１のばね部材と、
上記折り畳み体が上記開き位置を越えて過剰に開かれたときに変形して、上記折り畳み体を上記開き位置へ戻す方向の回転力を、上記第２の軸に付与する第２のばね部材と、
上記第１の軸に設けてあり、通常は、上記第２の軸が上記第１の軸に対して上記折り畳み体が閉じる方向に独立して回動することを制限する第１のストッパと、
上記ケーシング内に設けてあり、上記折り畳み体が閉じ位置から開き位置へ回動するときに、充填されているオイルを攪拌してダンパ機能を発揮するダンパ部とを有し、
前記ダンパ部は、
上記第１の軸に嵌合して設けてあり、上記ケーシングの内面に密着して、上記第１のばね部材が収容されているばね収容部分を仕切るシール部材と、
該シール部材によって仕切られた部分内に充填されているオイルと、
上記第１の軸に形成してあり、上記シール部材によって仕切られた部分内に位置しており、第２のストッパに当たって該第１の軸の回動停止位置をきめる羽根部とよりなり、
上記折り畳み体が閉じ位置から開き位置へ回動するときの上記第１の軸の羽根部の動きが上記オイルを攪拌させる構成としたことを特徴とするヒンジモジュール。
【請求項５】
ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれ、
且つ、上記ケーシング内に、上記折り畳み体が閉じ位置から開き位置へ回動するときに、充填されているオイルを攪拌してダンパ機能を発揮するダンパ部を有するヒンジモジュールであって、
前記ケーシングを、その端にケーシングより細い径のボビン部とこのボビン部の周面に対向する係止腕部とを有する構成とし、
該ケーシングに、横帯部とこの両端より逆方向に延びた第１及び第２の縦帯部とよりなるフレキシブルプリント回路板を、その横帯部をケーシングの外周に位置決めし、第１の縦帯部をケーシングに巻付け、ケーシングに固定した抑え部品によって解けないようにし、第２の縦帯部を上記ボビン部に巻付け且つ解けないように係止腕部に係止させてなり、
第１の縦帯部の先端に電話機本体と接続される端子部を有し、第２の縦帯部の先端に折り畳み体と接続される端子部を有する構成としたことを特徴とするヒンジモジュール。
【請求項６】
電話機本体と、
折り畳み体と、
該折り畳み体を上記電話機本体に対して、閉じ位置と開き位置との間を回動するように支持する請求項１乃至５のうちいずれか一項記載のヒンジモジュールとよりなる構成としたことを特徴とする折り畳み携帯電話機。
【発明の詳細な説明】
【０００１】
【産業上の利用分野】
本発明は携帯電話機のヒンジモジュールに関する。
一般に、所謂折り畳み式の携帯電話機１０は、図１５に示すように、電話機本体１１と、これに取り付けてあるフリッパ１２とを有する。フリッパ１３は、ヒンジ機構１２によって支持されており、矢印Ａ１で示す開く方向、及び矢印Ａ2 で示す閉じる方向に回動する。
【０００２】
携帯電話機１０を使用していないときにはフリッパ１２は、図１５（Ａ）に示すように、閉じ位置Ｐ１にロックされており、テンキー部１４を覆っている。
通話をするに際して、ロック解除操作をすると、フリッパ１２は、図１５（Ｂ）に示すように、Ａ１方向に、人間工学的な配慮から約１４５度回動され、開き位置Ｐ２に保持される。
【０００３】
図１５（Ｂ）の状態において、例えば携帯電話機１０を押さ付けたりして、フリッパ１２に矢印Ａ1 方向の強い力が加わった場合には、ヒンジ機構１２が動作して、フリッパ１２は、図１５（Ｃ）に示すように、矢印Ａ１方向に最大で、過剰開き位置Ｐ３まで回動し、その後、開き位置Ｐ１に戻る。
【０００４】
また、ヒンジ機構１３は、更に次の要件を満たすことが望ましい。
▲１▼  小型であること。
▲２▼  モジュール化されていること。
▲３▼  ダンパを有すること。
【０００５】
【従来の技術】
本出願人は、先に、特願平７−１３２３０２号、発明の名称「折り畳み携帯電話機用ヒンジ機構及び折り畳み携帯電話機」において、小型であり、モジュール化されており、ダンパを有する構成の折り畳み携帯電話機用ヒンジモジュールを提案した。
【０００６】
このヒンジモジュール２０は、図１６に示すように、ヒンジモジュール本体２１に、オイルダンパ２２を取り付けてなる構成である。オイルダンパ２２は、ヒンジモジュール本体２１の端面より突き出ている軸と連結して、ヒンジモジュール本体２１の端面に取り付けてある。
【０００７】
【発明が解決しようとする課題】
ヒンジモジュール２０は、ダンパを有し且つモジュール化されているけれども、ヒンジモジュール本体２１に、オイルダンパ２２を取り付けてなる構成であるため、例えば長さが長くなって、小型化の点で問題があった。
【０００８】
そこで、本発明は、上記課題を解決したヒンジモジュール及びこれを有する折り畳み携帯電話機を提供することを目的とする。
【０００９】
【課題を解決するための手段】
請求項１の発明は、ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれるヒンジモジュールであって、
上記ケーシング内に、上記折り畳み体が閉じ位置から開き位置へ回動するときに、充填されているオイルを攪拌してダンパ機能を発揮するダンパ部を有し、
上記ダンパ部は、
上記軸に嵌合して設けてあり、上記ケーシングの内面に密着して、上記ばねが収容されているばね収容部分を仕切るシール部材と、
該シール部材によって仕切られたばね収容部分内に充填されているオイルとよりなり、
上記折り畳み体が閉じ位置から開き位置へ回動するときの上記軸及び上記ばねの動きが上記オイルを攪拌させる構成としたものである。
【００１１】
請求項２の発明は、ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれるヒンジモジュールであって、
上記ケーシング内に、上記折り畳み体が閉じ位置から開き位置へ回動するときに、充填されているオイルを攪拌してダンパ機能を発揮するダンパ部を有し、
上記ダンパ部は、
上記軸に嵌合して設けてあり、上記ケーシングの内面に密着して、上記ばねが収容されているばね収容部分を仕切るシール部材と、
該シール部材によって仕切られた部分内に充填されているオイルと、
上記軸に形成してあり、上記シール部材によって仕切られた部分内に位置しており、ストッパに当たって該軸の回動停止位置をきめる羽根部とよりなり、
上記折り畳み体が閉じ位置から開き位置へ回動するときの上記軸の羽根部の動きが上記オイルを攪拌させる構成としたものである。
【００１２】
請求項３の発明は、閉じ位置と開き位置との間を回動する折り畳み体を有する折り畳み携帯電話機に組込まれるヒンジモジュールであって、
ケーシングと、
該ケーシング内に組み込まれた第１の軸と、
上記折り畳み体を回動させる第２の軸と、
上記ケーシング内に組み込まれ、該第１の軸に、上記折り畳み体を上記閉じ位置より上記開き位置へ回動させる方向の回転力を付与する第１のばね部材と、
上記折り畳み体が上記開き位置を越えて過剰に開かれたときに変形して、上記折り畳み体を上記開き位置へ戻す方向の回転力を、上記第２の軸に付与する第２のばね部材と、
上記第１の軸に設けてあり、通常は、上記第２の軸が上記第１の軸に対して上記折り畳み体が閉じる方向に独立して回動することを制限する第１のストッパと、
上記ケーシング内に設けてあり、上記折り畳み体が閉じ位置から開き位置へ回動するときに、充填されているオイルを攪拌してダンパ機能を発揮するダンパ部とを有し、
前記ダンパ部は、
上記第１の軸に嵌合して設けてあり、上記ケーシングの内面に密着して、上記第１のばね部材が収容されているばね収容部分を仕切るシール部材と、
該シール部材によって仕切られたばね収容部分内に充填されているオイルとよりなり、
上記折り畳み体が閉じ位置から開き位置へ回動するときの上記第１の軸及び上記第１のばねの動きが上記オイルを攪拌させる構成としたものである。
請求項４の発明は、閉じ位置と開き位置との間を回動する折り畳み体を有する折り畳み携帯電話機に組込まれるヒンジモジュールであって、
ケーシングと、
該ケーシング内に組み込まれた第１の軸と、
上記折り畳み体を回動させる第２の軸と、
上記ケーシング内に組み込まれ、該第１の軸に、上記折り畳み体を上記閉じ位置より上記開き位置へ回動させる方向の回転力を付与する第１のばね部材と、
上記折り畳み体が上記開き位置を越えて過剰に開かれたときに変形して、上記折り畳み体を上記開き位置へ戻す方向の回転力を、上記第２の軸に付与する第２のばね部材と、
上記第１の軸に設けてあり、通常は、上記第２の軸が上記第１の軸に対して上記折り畳み体が閉じる方向に独立して回動することを制限する第１のストッパと、
上記ケーシング内に設けてあり、上記折り畳み体が閉じ位置から開き位置へ回動するときに、充填されているオイルを攪拌してダンパ機能を発揮するダンパ部とを有し、
前記ダンパ部は、
上記第１の軸に嵌合して設けてあり、上記ケーシングの内面に密着して、上記第１のばね部材が収容されているばね収容部分を仕切るシール部材と、
該シール部材によって仕切られた部分内に充填されているオイルと、
上記第１の軸に形成してあり、上記シール部材によって仕切られた部分内に位置しており、第２のストッパに当たって該第１の軸の回動停止位置をきめる羽根部とよりなり、
上記折り畳み体が閉じ位置から開き位置へ回動するときの上記第１の軸の羽根部の動きが上記オイルを攪拌させる構成としたものである。
【００１３】
請求項５の発明は、ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれ、
且つ、上記ケーシング内に、上記折り畳み体が閉じ位置から開き位置へ回動するときに、充填されているオイルを攪拌してダンパ機能を発揮するダンパ部を有するヒンジモジュールであって、
前記ケーシングを、その端にケーシングより細い径のボビン部とこのボビン部の周面に対向する係止腕部とを有する構成とし、
該ケーシングに、横帯部とこの両端より逆方向に延びた第１及び第２の縦帯部とよりなるフレキシブルプリント回路板を、その横帯部をケーシングの外周に位置決めし、第１の縦帯部をケーシングに巻付け、ケーシングに固定した抑え部品によって解けないようにし、第２の縦帯部を上記ボビン部に巻付け且つ解けないように係止腕部に係止させてなり、
第１の縦帯部の先端に電話機本体と接続される端子部を有し、第２の縦帯部の先端に折り畳み体と接続される端子部を有する構成としたものである。
【００１４】
請求項６の発明は、電話機本体と、
折り畳み体と、
該折り畳み体を上記電話機本体に対して、閉じ位置と開き位置との間を回動するように支持する請求項１乃至５のうちいずれか一項記載のヒンジモジュールとよりなる構成としたものである。
【００１５】
【発明の実施の形態】
図１乃至図６は、折り畳み携帯電話機用ヒンジモジュール３０を示す。ヒンジモジュール３０は、大略円柱形状を有し、モジュール化され、ケーシング内にダンパ部を有する構造であり、ダンパ機能付きヒンジモジュールといえるものである。
【００１６】
先ず、ダンパ部を除いた構造について説明する。
図１乃至図４に示すように、折り畳み携帯電話機用ヒンジモジュール３０は、大略、円筒形状のケーシング３１内に、各図中、左端側（Ｘ１側）より順に、キャップ３２、固定軸３３、第１のねじりコイルばね３４と、第１の回転軸３５と、第２のねじりコイルばね３６と、第２の回転軸３７と、キャップ３８とが組み込まれた構成である。
【００１７】
ケーシング３１は、その長手方向上略中央部に、内周面側に突き出たストッパ３１ａを有し、且つ、外周側に突き出た回り止め部３１ｂを有し、且つ、両端近傍にスナップフィット用の孔３１ｃ，３１ｄを有する。
固定軸３３は、鍔部３３ａよりＸ１側に楕円断面の軸部３３ｂを有し、Ｘ２側に軸部３３ｃを有する。軸部３３ｃは、先端軸部３３ｄを有する。軸部３３ｃには、溝３３ｅが端部から鍔部３３ａの付近まで延在して形成してある。
【００１８】
第１のねじりコイルばね３４は、フリッパを開かせるばねであり、右巻きであり、一端に、中心側に延びた腕部３４ａ、他端に軸線方向に延びた腕部３４ｂを有する。この第１のねじりコイルばね３４は、フリッパを開かせる機能を有すると共に、後述するように、シリコーンオイルを攪拌する作用をする。
【００１９】
第１の回転軸３５は、長手方向上略中央にＯリング用の溝部３５ａを有する。溝部３５ａよりＸ１側の部分に、２つの羽根部３５ｂ，３５ｃ及び、平面部３５ｄを有し、且つ、先端側に、中心孔３５ｅを有する。羽根部３５ｂ，３５ｃは、ストッパ３１ａと当たって、第１の回転軸３５の回動角度範囲を決めるように機能すると共に、後述するように、シリコーンオイルを攪拌する作用をする。平面部３５ｄは、円柱の側面をカットして得た面であり、この平面部３５ｄも後述するように、シリコーンオイルを攪拌する作用をする。溝部３５ａよりＸ２側の部分には、端面側が開口とされた軸方向の孔３５ｆを有する。孔３５ｆ内には、内周面より突き出たストッパ３５ｇを有する。孔３５ｆの奥部の中心には、溝３５ｈ付きの孔３５ｉが形成してある。
【００２０】
第２のねじりコイルばね３６は、フリッパが過剰に開くことを可能とし且つ過剰に開かれたフリッパを元の開き位置に戻す作用をするばねであり、左巻きであり、各端に、共に軸線方向に延びた腕部３６ａ，３６ｂを有する。
第２の回転軸３７は、鍔部３７ａよりＸ１側の部分に、筒部３７ｂ及び中心軸部３７ｃを有し、鍔部３７ａよりＸ２側の部分に、断面が矩形の軸部３７ｄを有する。筒部３７ｂには、切欠部３７ｅが形成してある。筒部３７ｂは、切欠部３７ｅに臨む端部３７ｆ，３７ｇを有する。軸部３７ｄ内には、中心軸部３７ｃの基部の近くの位置よりＸ２方向に延びている孔３７ｈが形成してある。
【００２１】
上記の各部品は、以下のように組み込まれている。
図５に併せて示すように、ケーシング３１のＸ１端側にキャップ３２がスナップフィットされて固定してあり、Ｘ２端側にキャップ３８が同じくスナップフィットされて固定してある。
【００２２】
固定軸３３は、楕円断面の軸部３３ａをキャップ３２の楕円孔３２ａに嵌合されて固定してある。固定軸３３の軸部３３ｃとケーシング３１の内周面との間には、第１のねじりコイルばね３４を収容するための環状の空間３９が形成される。環状の空間３９が、特許請求の範囲の記載中、ばね収容部分に対応する。第２の回転軸３７は、軸部３７ｄがキャップ３８よりＸ２側に突き出た状態で設けてある。
【００２３】
第１の回転軸３５は、Ｘ１側については、図６（Ｄ）に示すように、２つの羽根部３５ｂ，３５ｃがストッパ３１ａと係合い、且つ、中心孔３５ｅが先端軸部３３ｄと嵌合している。Ｘ２側については、図６（Ｂ）に示すように、孔３５ｆが筒部３７ｂと嵌合し、ストッパ３５ｇが切欠部３７ｅ内に嵌合し、孔３５ｉが中心軸部３７ｃと嵌合している。
【００２４】
第１のねじりコイルばね３４は、上記環状空間３９内に収容されて、固定軸３３と第１の回転軸３５との間に設けてある。第１のねじりコイルばね３４は、軸部３３ｂの周囲に嵌合して支持されており、腕部３４ａが溝３３ｃに嵌合しており、腕部３４ｂが羽根部３５ｂに係止されている。第１のねじりコイルばね３４の腕部３４ａは、ケーシング３１に固定してある。第１のねじりコイルばね３４は、第１の回転軸３５をＡ１方向に付勢している。
【００２５】
第２のねじりコイルばね３６は、第１の回転軸３５と第２の回転軸３７との間に設けてある。図６（Ａ）に示すように、第２のねじりコイルばね３６は、中心軸部３７ｃの周囲に嵌合して支持されており、腕部３６ａが溝３５ｈに嵌合しており、腕部３６ｂが孔３７ｈに嵌合している。第２のねじりコイルばね３６は、第２の回転軸３７を第１の回転軸３５に対してＡ２方向に付勢しており、第１の回転軸３５を第２の回転軸３７に対してＡ１方向に付勢している。
【００２６】
次に、上記構成のヒンジモジュール３０の動作について説明する。
説明の便宜上、ヒンジモジュール３０が折り畳み携帯電話機に組み込まれた状態における動作について説明する。
図７は、ヒンジモジュール３０が組み込まれている折り畳み携帯電話機５０を示す。
【００２７】
携帯電話機５０は、電話機本体５１と、折り畳み体としてのフリッパ５２と、ヒンジモジュール３０とよりなる。
電話機本体５１は、受話器部５３，送話器部５４，表示部５５，テンキー部５６等を有する。
【００２８】
ヒンジモジュール３０は、回り止め部３１ｂによって回り止め固定されて電話機本体５１の端部に組み込まれている。フリッパ５２は、突き出た第２の回転軸３７に固定されて支持されている。
フリッパ５２が開き位置Ｐ２にあるとき、ヒンジモジュール３０は、図６（Ａ）乃至（Ｄ）、図８（Ｅ），（Ｈ）に示す状態にある。
【００２９】
図６（Ｄ），図８（Ｈ）に示すように、第１のねじりコイルばね３４によって、第１の回転軸３５はＡ１方向に付勢されており、羽根部３５ｂがストッパ３１ａに押し当たっている。また、図６（Ｂ），図８（Ｅ）に示すように、第２のねじりコイルばね３６によって、ストッパ３５ｇと端部３７ｆとが押し当たっており、第２の回転軸３７は第１の回転軸３５と一体化されている。よって、フリッパ５２は開き位置Ｐ２に維持される。
【００３０】
フリッパ５２を閉じる方向に回すと、第２の回転軸３７がＡ２方向に回動し、端部３７ｆがストッパ３５ｇを押して、第１の回転軸３５が第１のねじりコイルばね３４を捩じりつつＡ２方向に回動され、ヒンジモジュール３０は、図８（Ｄ），（Ｇ）に示す状態となる。フリッパ５２は、閉じ位置Ｐ１にロックされる。第２の回転軸３７は、第１のねじりコイルばね３４によってＡ１方向にばね付勢されている。
【００３１】
電話機本体５１の側面のロック解除釦（図示せず）を押すと、第１のねじりコイルばね３４によって第１の回転軸３５はＡ１方向に回動され、第２の回転軸３７が第１の回転軸３５と一体に回動されて、フリッパ５２がＡ１方向に、開き位置Ｐ２まで回動される。
【００３２】
開き位置Ｐ２に維持されているフリッパ５２にＡ１方向に強い力が加わったときには、第２のねじりコイルばね３６が捩じられ、図８（Ｉ）に示すように、第２の回転軸３７が第１の回転軸３５に対してＡ１方向に回動される。よって、フリッパ５２は、最大で図８（Ｃ）に示す状態まで過剰に回動される。
【００３３】
その後、フリッパ５２は、図８（Ｂ）に示す元の位置まで戻される。
次に、本発明の要部をなすダンパ部６０について説明する。
図１、図５（Ａ）に示すように、ダンパ部６０はケーシング３１内に設けてある。
【００３４】
ダンパ部６０は、Ｏリング６１とＯリング６２とによって仕切られた空間６４と、この仕切られた空間６４内に充填されているシリコーンオイル６３と、フリッパ５２が開く過程において、上記空間６４内においてシリコーンオイル６３を攪拌させる部材（部分）とよりなる。ここで、上記の部材（部分）は、後述するように、ヒンジモジュール３０を構成している部材（部分）である。
【００３５】
Ｏリング６１は、固定軸３３の鍔部３３ａとキャップ３２との間に設けてある。Ｏリング６２は、第１の回転軸３５の溝部３５ａに嵌合して設けてある。
上記仕切られた空間６２は、前記の環状空間３９を含んでいる。また、Ｏリング６１とＯリング６２との間に、第１のねじりコイルばね３４、２つの羽根部３５ｂ，３５ｃ、及び平面部３５ｄが配されている。
【００３６】
図６（Ｄ）に示すように、羽根部３５ｂ，３５ｃの周りであってケーシング３１の内側の部分には、空間６５が形成されている。更に、図６（Ｃ）に示すように、平面部３５ｄとケーシング３１の内周面の間にはカットした円形状の空間６６が形成されている。
【００３７】
上記の空間６５、６６も上記の仕切られた空間６２に含まれる。仕切られた空間６２は、環状空間３９と、空間６５と、空間６６よりなる。環状空間３９、空間６５、空間６６はつながっている。シリコーンオイル６３は、環状空間３９と、空間６５と、空間６６とに充填されている。
【００３８】
次に、ダンパ部６０の動作について説明する。
ダンパ部６０は、フリッパ５２が、図９（Ａ）に示す閉じ位置Ｐ１から図９（Ｂ）に示す開き位置Ｐ２に回動する過程において動作する。
特に、以下の３つの動作が、ダンパ機能を発揮する。
【００３９】
▲１▼  第１のねじりコイルばね３４は、図９（Ｃ）に示す締められた状態から、図９（Ｄ）に示す緩められた状態に変化する。即ち、各ターン部３４ｃ間が略密着した状態から、各ターン部３４ｃがＸ２方向に少し移動して、各ターン部３４ｃ間に隙間ができた状態となる。各ターン部３４ｃは、環状空間３９内のシリコーンオイル６３を攪拌しつつ、よって抵抗を受けつつＸ２方向に移動する。これによって、ダンパ機能が発揮される。
【００４０】
▲２▼  ２つの羽根部３５ｂ，３５ｃは、図９（Ｅ）に示す位置からＡ１方向に図９（Ｆ）に示す位置まで、空間６５内のシリコーンオイル６３を攪拌しつつ、よって抵抗を受けつつ回動する。これによって、ダンパ機能が発揮される。
▲３▼  平面部３５ｄは、図９（Ｇ）に示す位置からＡ１方向に図９（Ｈ）に示す位置まで、空間６６内のシリコーンオイル６３を攪拌しつつ、よって抵抗を受けつつ回動する。これによって、ダンパ機能が発揮される。
【００４１】
よって、フリッパ６２は、ダンパ部６０により発生する抗力に抗しつつゆっくりと開く。
ここで、ダンパ部６０はケーシング３１内に設けてあるため、ヒンジモジュール３０は、ダンパを後付けした構成のヒンジモジュールより小型である。また、この小型のヒンジモジュール３０を組み込むことによって、折り畳み携帯電話機５０も小型となっている。
【００４２】
ここで、上記のヒンジモジュール３０は、ケーシング３１を上記ストッパ３１ａを有する構成とし、各部品をケーシング３１のＸ１端側とＸ２端側とから分けて組み込んで組立られる。具体的には、Ｘ１端側より、第１のねじりコイルばね３４と、固定軸３３と、キャップ３２とを組み込み、Ｘ２端側より、第１の回転軸３５と、第２のねじりコイルばね３６と、第２の回転軸３７と、キャップ３８とを組み込んで組立られる。よって、全部の部品を、ケーシングの同じ端側より組み込む場合に比べて、組立てがし易い。
【００４３】
図１０のヒンジモジュール３０Ａは、固定軸３１Ａをケーシング３１Ａに超音波溶着した構成である。７０は超音波溶着部である。
図１１のヒンジモジュール３０Ｂは、固定軸３１Ａとキャップ３６Ｂとをケーシング３１Ｂに超音波溶着した構成である。７０、７１は超音波溶着部である。
【００４４】
固定軸及びキャップを溶着することによって、スナップフィットに比べて、スナップフィットのための孔等が不要となり、ヒンジモジュール３０Ａ、３０Ｂは、図１のヒンジモジュール３０より小型となる。また、Ｏリングは１つで足りている。
【００４５】
図１２は、本発明の他の実施例のヒンジモジュール３０Ｃを示す。ヒンジモジュール３０Ｃは、図１３に併せて示すように、ヒンジモジュール本体３０Ｃａにフレキシブルプリント回路板８０を取り付けてなる構成である。このヒンジモジュール３０Ｃは、フリッパがその内部に送話器及びスイッチ等が組み込まれる場合に適用される。
【００４６】
ヒンジモジュール本体３０Ｃａは、分解すると図１４に示す構造を有する。ヒンジモジュール本体３０Ｃａは、フレキシブルプリント回路板８０を取り付けられるようにしてある。フレキシブルプリント回路板８０を取り付けられるようにした部分以外は、図１乃至図４に示すヒンジモジュール３０と同じ構成である。図１４中、図２乃至図４に示す構成部分と対応する部分には同じ符号を示す。
【００４７】
図１３及び図１４に示すように、ケーシング３１Ｃは、周面にフレキシブルプリント回路板８０を位置決めする凸部３１Ｃａを有し、左端に、ボビン部材８１が固定してある。ボビン部材８１は、ケーシングより細い径のボビン部８１ａとこのボビン部の周面に対向する２つの係止腕部８１ｂ，８１ｃとを有する。ボビン部８１ａはケーシング３１Ｃの中心に対して係止腕部８１ｂ，８１ｃより離れる方向に偏心している。
【００４８】
図１３に示すように、フレキシブルプリント回路板８０は、横帯部８０ａとこの両端より逆方向に延びた第１の縦帯部８０ｂ及び第２の縦帯部８０ｃとよりなる。横帯部８０ａは位置決め穴８０ａ−１を有する。第１の縦帯部８０ｂの先端には、電話機本体と接続される端子部８２が設けてある。第２の縦帯部８０ｃの先端には、フリッパと接続される端子部８３が設けてある。
【００４９】
フレキシブルプリント回路板８０は、横帯部８０ａを、その位置決め穴８０ａ−１を凸部３１Ｃａに嵌合させてケーシング３１Ｃの外周に位置決めし、第１の縦帯部８０ｂをＸ２方向よりみて反時計方向に巻付け、ケーシング３１ＣにＣ字形状の押さえ部品８５を嵌合させて取付けて解けないようにし、第２の縦帯部８０ｃをボビン部８１ａにＸ２方向よりみて時計方向に巻付け、且つ係止腕部８１ｂの外側に沿い係止腕部８１ｃの内側に沿うようにして２つの係止腕部８１ｂ，８１ｃに係止させて解けないようにしてある。９０は、第１の縦帯部８０ｂの巻付け部である。９１は、第２の縦帯部８０ｃの巻付け部である。なお、押さえ部品８５をＸ１方向にスライドさせることによって、巻付け部９０は開放される。
【００５０】
ヒンジモジュール３０Ｃは図７に示すように、電話機本体内に組み込まれ、端子部８２が電話機本体と接続され、端子部８３がフリッパと接続される。
フリッパが閉じる方向に回動するときに、第２の縦帯部８０ｃの巻付け部９１がボビン部８１ａと２つの係止腕部８１ｂ，８１ｃとの間の円弧状のスペース９２内で、巻き径が大きくなるように膨らむ。フリッパが開く方向に回動するときに、第２の縦帯部８０ｃの巻付け部９１は、巻き径が小さくなる締まる方向に変化する。
【００５１】
フリッパを開閉させても巻付け部９０は形状が変化せず、フレキシブルプリント回路板８０の第１の縦帯部８０ｂの耐久性は少しも損なわれない。巻付け部９１は、フリッパの開閉によって、巻き径が少し変化するのみであり、フリッパを繰り返し開閉させても、第２の縦帯部８０ｃの耐久性は損なわれない。
【００５２】
なお、特許請求の範囲中の折り畳み体とは、上記のフリッパ・又は送話器が組込まれた部分等を意味する。
なお、本発明の折り畳み携帯電話機には、通話時に、折り畳み体が開いた状態とされる構造のものは勿論、通話時に、折り畳み体が閉じた状態とされた構造も包含するものである。
【００５３】
【発明の効果】
以上説明したように、請求項１乃至請求項４の発明によれば、ダンパ部をケーシング内に設けた構成であるため、ダンパ部を後付けした構成に比べて、ヒンジモジュールを小型に出来、且つ、また、折り畳み体が閉じ位置から開き位置へ回動するときの第１の軸及び上記第１のばねの動きが、或いは羽根部の動きがオイルを攪拌させるため、ダンパ機能を効果的に発揮できる。
【００５４】
請求項５の発明によれば、ダンパ機能を備え且つフレキシブルプリント回路板を有するヒンジモジュールを小型に出来る。また、折り畳み体がその内部に送話器及びスイッチ等が組み込まれる場合に適用して効果を有する。
【００５５】
請求項６の発明によれば、ヒンジモジュールが小型となった分、折り畳み携帯電話機を小型に出来る。
【図面の簡単な説明】
【図１】本発明の一実施例になるヒンジモジュールを、ケーシングを切截して示す斜視図である。
【図２】図１のヒンジモジュールの分解斜視図である。
【図３】図２中、左半分の部分を拡大して示す図である。
【図４】図２中、右半分の部分を拡大して示す図である。
【図５】図１のヒンジモジュールを断面して示す図である。
【図６】図５中、異なる場所の断面図である。
【図７】図１のヒンジモジュールが組み込んである折り畳み携帯電話機の一部切截斜視図である。
【図８】携帯電話機に組込まれたヒンジ機構の動作を説明する図である。
【図９】ヒンジモジュール内のダンパ部の動作を説明する図である。
【図１０】本発明の別の実施例になるヒンジモジュールを示す図である。
【図１１】本発明の別の実施例になるヒンジモジュールを示す図である。
【図１２】本発明の他の実施例になるヒンジモジュールを示す図である。
【図１３】図１２のヒンジモジュールの分解視図である。
【図１４】図１３中、ヒンジモジュール本体の分解視図である。
【図１５】携帯電話機のフリッパの動きを説明する図である。
【図１６】先願のヒンジモジュールを示す図である。
【符号の説明】
３０、３０Ａ，３０Ｂ、３０Ｃ  折り畳み携帯電話機用ヒンジモジュール
３１  ケーシング
３１ａ  ストッパ
３１ｂ  回り止め部
３２，３８  キャップ
３３  固定軸
３３ａ  鍔部
３３ｂ  楕円断面の軸部
３３ｃ  軸部
３３ｄ  先端軸部
３３ｅ  溝
３４  第１のねじりコイルばね
３４ａ，３４ｂ  腕部
３５  第１の回転軸
３５ａ  Ｏリング用の溝部
３５ｂ，３５ｃ  羽根部
３５ｄ  平面部
３５ｅ  中心孔
３５ｆ  孔
３５ｇ  ストッパ
３５ｈ  溝
３５ｉ  孔
３６  第２のねじりコイルばね
３６ａ，３６ｂ  腕部
３７  第２の回転軸
３７ａ  鍔部
３７ｂ  筒部
３７ｃ  中心軸部
３７ｄ  断面が矩形の軸部
３７ｅ  切欠部
３７ｆ，３７ｇ  端部
３７ｈ  孔
３９  環状空間（ばね収容部分）
５０  折り畳み携帯電話機
５１  電話機本体
５２  フリッパ
６０  ダンパ部
６１，６２  Ｏリング
６３  シリコーンオイル
６４  仕切られた空間
６５、６６  空間
８０  フレキシブルプリント回路板
８０ａ  横帯部
８０ｂ  第１の縦帯部
８０ｃ  第２の縦帯部
８１  ボビン部材
８１ａ  ボビン部
８１ｂ，８１ｃ  係止腕部
８２，８３  端子部
８５  Ｃ字形状の押さえ部品
９０，９１  巻付け部
９２  円弧状のスペース
【図１】
0003753801.tif 000002
【図２】
0003753801.tif 000003
【図３】
0003753801.tif 000004
【図４】
0003753801.tif 000005
【図５】
0003753801.tif 000006
【図６】
0003753801.tif 000007
【図７】
0003753801.tif 000008
【図８】
0003753801.tif 000009
【図９】
0003753801.tif 000010
【図１０】
0003753801.tif 000011
【図１１】
0003753801.tif 000012
【図１２】
0003753801.tif 000013
【図１３】
0003753801.tif 000014
【図１４】
0003753801.tif 000015
【図１５】
0003753801.tif 000016
【図１６】
0003753801.tif 000017